(57)【特許請求の範囲】
【請求項１】
オストミーポーチ（１２）と、
略環状の人体側取付ウエハ（１４）とを備え、
上記オストミーポーチ（１２）は、ポーチ容器（１６）と、該容器（１６）の後側すなわち人体表面（１００）側に形成した排泄物用入口開口（３０、３２）と、該入口開口（３０、３２）の後側に設けた柔軟性を有する環状の接着フェイスプレート（５０）と、該ポーチ（１２）の接着フェイスプレート（５０）の前側を一体に支持しているフォームテープ（６０）の略円形状の周縁部（５６）から半径方向外方へ延在する操作タブ部（５４）とを備え、
上記ポーチ容器（１６）は、柔軟性を有したプラスチック材料で形成し、人体の小孔（１２０）を通過する排泄物を収容するための排泄物回収用チャンバ（４６）を構成し、
上記入口開口（３０、３２）は、小孔（１２０）の周囲に配置することによって、排泄物が小孔（１２０）から回収用チャンバ（４６）へ通じるようにし、
上記ポーチ（１２）の接着フェイスプレート（５０）は、後側に一体に再封可能な感圧接着剤（６２）を有し、
上記操作タブ部（５４）を操作することによって、ポーチ（１２）の接着フェイスプレート（５０）を小孔（１２０）の周囲に配置したり再位置決めしたりし、
上記人体側取付ウエハ（１４）は、小孔（１２０）のための開口（８０）を有し、かつ、後側に医療用接着剤層（７０）を備え、これにより、小孔（１２０）周囲の人体表面（１００）に固定することができるとともに、他方の前面には剥離フィルム層（８４）を備え、ポーチ（１２）の接着フェイスプレート（５０）の上記感圧接着剤（６２）と接合するようにし、その結果、ポーチ（１２）の接着フェイスプレート（５０）の上記感圧接着剤（６２）が、取付ウエハ（１４）の剥離フィルム層（８４）に接するとき、ポーチ（１２）を取付ウエハ（１４）に固定することができ、
剥離フィルム層（８４）と上記感圧接着剤（６２）との間の接着は、接着フェイスプレート（５０）を取付ウエハ（１４）から繰り返し取り外すことができるようにし、
上記タブ部（５４）は、取付ウエハ（１４）に対するポーチ（１２）の接着フェイスプレート（５０）の操作、取り外し、及び再固定を容易にし、
上記人体側取付ウエハ（１４）は、剥離フィルム層（８４）のための支持用フォームテープ（７６）を備え、剥離フイルム層（８４）の周縁部に環状カラー（９０）の後側接着剤層（９２）の内周部を接着し剥離フイルム層（８４）の周縁部から突出している接着剤層（９２）の外周部を人体表面（１００）に接着し、環状カラー（９０）の内側の剥離フイルム層（８４）にポーチ（１２）側の感圧接着剤（６２）が接着する接触領域（８６）を露出させ、これにより、剥離フィルム層（８４）が曲がったり、あるいは、ポーチ（１２）の接着フェイスプレート（５０）とのカップリング接着から離れたりするときに、剥離フィルム層（８４）に皺が形成されないようにすると共に、ポーチ（１２）の後壁部（２２）を前壁部（２０）と同一材料で形成した内層（２４）と多孔性ポリエチレンでフロック加工した外層（２６）とを有していて外層（２６）と人体表面（１００）との間が快適に面接触するようにしたことを特徴とするオストミー装置。
【請求項２】
上記剥離フィルム層（８４）は、円形状の外周縁部と、円形状の内周縁部と、外周縁部と内周縁部との間に構成された、上記ポーチ（１２）のフォームテープ（５０）の上記感圧接着剤（６２）のための剥離フイルム接触領域（８６）とを有し、
上記感圧接着剤（６２）は、円形状の外周縁部と円形状の内周縁部とを有するとともに、フォームテープ（６０）が剥離フィルム層（８４）の外周縁部及び内周縁部内に接触領域（８６）を配置できるような寸法を有していることにより、上記感圧接着剤（６２）を、剥離フィルム層（８４）の剥離フイルム接触領域（８６）に接合させることができることを特徴とする請求項１記載のオストミー装置。
【請求項３】
上記支持用フォームテープ（７６）は、所定の厚さを有した独立気泡ポリエチレンフォーム層（７８）であることを特徴とする請求項１記載のオストミー装置。
【請求項４】
上記ポリエチレンフォーム層（７８）は、上記取付ウエハ（１４）の医療用接着剤層（７０）と上記剥離フィルム層（８４）との間に設けていることを特徴とする請求項３記載のオストミー装置。
【請求項５】
上記医療用接着剤層（７０）と、上記剥離フィルム層（８４）と、上記ポリエチレンフォーム層（７８）とは、実質的に同一の寸法を有していることを特徴とする請求項４記載のオストミー装置。
【請求項６】
上記ポーチ（１２）の接着フェイスプレート（５０）は、上記ポーチ容器（１６）の外側面に取り付け、上記排泄物用入口開口（３０、３２）を取り囲むようにしたことを特徴とする請求項１記載のオストミー装置。
【請求項７】
上記環状のポーチ（１２）の接着フェイスプレート（５０）は、上記感圧接着剤（６２）のための支持用のフォームテープ（６０）を備え、これにより、ポーチ（１２）の接着フェイスプレート（５０）が曲がったり、あるいは、上記人体側取付ウエハ（１４）から離れたりするときに、感圧接着剤（６２）に皺が形成されないようにし、
上記支持用のフォームテープ（６０）は、独立気泡ポリエチレンフォーム層を有していることを特徴とする請求項１記載のオストミー装置。
【請求項８】
上記独立気泡ポリエチレンフォーム層は、上記感圧接着剤（６２）のためのフォームテープ（６０）を形成していることを特徴とする請求項７記載のオストミー装置。
【請求項９】
上記タブ部（５４）は、上記独立気泡ポリエチレンフォーム層と一体的に形成するとともに、独立気泡ポリエチレンフォーム層の延長部であることを特徴とする請求項８記載のオストミー装置。
【請求項１０】
上記独立気泡ポリエチレンフォーム層の一方の側面は、上記ポーチ容器（１６）の後壁部（２２）に接着し、
上記タブ部（５４）は、独立気泡ポリエチレンフォーム層の一方の側面に対応する第１対応面を有し、タブ部（５４）の第１対応面は、ポーチ容器（１６）の後壁部（２２）に対して人体側ウエハ（１４）から離れる方向へ移動することができるように、接着剤層を覆うフイルム層（６６）を備えていることを特徴とする請求項９記載のオストミー装置。
【請求項１１】
上記独立気泡ポリエチレンフォーム層の他方の側面は、上記感圧接着剤（６２）でコーティングし、
上記タブ部（５４）は、独立気泡ポリエチレンフォーム層の他方の側面に対応する第２対応面を有し、タブ部（５４）の第２対応面は、フイルム層（６６）により非接着特性を備えるようにし、これにより、上記ポーチ（１２）のフェイスプレート（５０）の感圧接着剤（６２）が、上記取付ウエハ（１４）の剥離フィルム層（８４）と接合したときに、タブ部（５４）のフイルム層（６６）を前側に移動させて感圧接着剤（６２）を剥離フイルム層（８４）から剥がし始めることができるとともに、手でアクセスできることを特徴とする請求項１０記載のオストミー装置。
【請求項１２】
上記タブ部（５４）の第２対応面は、非接着特性を備えた外側面を有するフィルムで覆い、上記フェイスプレート（５０）を、上記人体側取付ウエハ（１４）に接着して取り付けたとき、上記外側面は、人体側取付ウエハ（１４）に対向していることを特徴とする請求項１２記載のオストミー装置。
【請求項１３】
上記医療用接着剤層（７０）は周縁エッジを有し、
上記人体側取付ウエハ（１４）は、さらに、上記剥離フィルム層（８４）の周縁部に取り付けた環状のカラー（９０）を備え、医療用接着剤層（７０）の周縁エッジを被覆するようにし、これにより、医療用接着剤層（７０）の周縁エッジを覆っていることを特徴とする請求項１記載のオストミー装置。
【請求項１４】
上記環状のカラー（９０）は、上記剥離フィルム層（８４）に対応した接着剤層（９２）を有し、環状のカラーの接着剤層（９２）には、分離可能な保護紙（９６）を備え、
該保護紙（９６）は、保護紙の３つの領域を構成する少なくとも２つの切断線（１０２，１０４）を有し、該切断線（１０２，１０４）によって、分離可能な保護紙（９６）の各領域を、それぞれ、他の２つの領域から独立して分離することができ、分離可能な保護紙（９６）の３つの領域の１つ（１１０）を、上記人体側取付ウエハ（１４）から取り外すと、保護紙で覆っている環状のカラー（９０）の他の２つの領域（１０６、１０８）を把持して、人体側取付ウエハ（１４）を人体表面の取付位置に対して操作できるようにしたことを特徴とする請求項１３記載のオストミー装置。
【請求項１５】
上記分離可能な保護紙（９６）の他の２つの領域（１０６、１０８）は、上記環状カラー（９０）の両側縁部に設け、かつ、分離可能な保護紙（９６）の１つの領域（１１０）は、他の２つの領域（１０６、１０８）の間に設け、１つの領域（１１０）のカラーを人体表面に固定した後に、保護紙を他の２つの領域（１０６、１０８）から分離できるようにしたことを特徴とする請求項１４記載のオストミー装置。
【請求項１６】
ａ）  ポーチ容器（１６）と、
ｂ）  該容器（１６）に形成した排泄物用入口開口（３０、３２）と、
ｃ）  該入口開口（３０、３２）に設けた柔軟性を有するポーチの環状の接着フェイスプレート（５０）とを備え、
上記ポーチ容器（１６）は、柔軟性を有したプラスチック材料で形成し、人体の小孔（１２０）を通過する排泄物を収容するための排泄物回収用チャンバ（４６）を構成し、
上記入口開口（３０、３２）は、小孔（１２０）の周囲に配置することによって、排泄物が小孔（１２０）から上記回収用チャンバ（４６）へ通じるようにし、
上記ポーチのフェイスプレート（５０）は、感圧接着剤（６２）と、該感圧接着剤のための支持用フォームテープとを有し、剥離フイルム層（８４）の周縁部に環状カラー（９０）の後側接着剤層（９２）の内周部を接着し剥離フイルム層（８４）の周縁部から突出している接着剤層（９２）の外周部を人体表面（１００）に接着し、環状カラー（９０）の内側の剥離フイルム層（８４）のポーチ（１２）側に感圧接着剤（６２）が接着する接触領域（８６）を露出させ、これにより、ポーチのフェイスプレート（５０）が曲がったり、あるいは、人体側取付ウエハから離れたりするときに、感圧接着剤（６２）に皺が形成されないようにし、上記支持用フォームテープは、ポーチ容器（１６）の外側面に接合するポリエチレンフォーム層を有していることを特徴とするオストミーポーチ。
【請求項１７】
操作タブ部（５４）が、上記ポーチのフェイスプレート（５０）の略円形状の周縁部から延在し、これにより、ポーチのフェイスプレート（５０）を操作し、人体側取付ウエハに対して固定したり取り外したりすることができ、
上記タブ部（５４）は、上記ポリエチレンフォーム層と一体的に形成するとともに、上記ポーチ容器（１６）を人体側ウエハ（１４）から離れる方向に移動自在となるように接着剤層をフイルム（６６）で覆ったことを特徴とする請求項１６記載のオストミーポーチ。
【請求項１８】
小孔のための開口を有した多層アセンブリを備え、
該多層アセンブリは、一方の側面に医療用接着剤層（７０）を備え、これにより、小孔（１２０）の周囲の人体表面（１００）に固定することができるとともに、他方の側面には剥離フィルム層（８４）を備え、ポーチのフェイスプレートの感圧接着剤（６２）と取り外し可能に接合するようにし、その結果、人体側取付ウエハと、フェイスプレートとを繰り返し取り外すことができ、
上記多層アセンブリは、さらに、剥離フィルム層（８４）のための支持用フォームテープ（７６）を備え、剥離フイルム層（８４）の周縁部に環状カラー（９０）の後側接着剤層（９２）の内周部を接着し剥離フイルム層（８４）の周縁部から突出している接着剤層（９２）の外周部を人体表面（１００）に接着し、環状カラー（９０）の内側の剥離フイルム層（８４）のポーチ（１２）側に感圧接着剤（６２）が接着する接触領域（８６）を露出させ、これにより、剥離フィルム層（８４）が曲がったり、あるいは、ポーチのフェイスプレートから離れたりするときに、剥離フィルム層（８４）に皺が形成されないようにし、
上記支持用フォームテープは、所定の厚さを有した独立気泡ポリエチレンフォームの層を備えていることを特徴とする人体側取付ウエハ。
【請求項１９】
上記ポリエチレンフォーム層は、上記医療用接着剤層（７０）と、上記剥離フィルム層（８４）との間に設けていることを特徴とする請求項１８記載の人体側取付ウエハ。
【発明の詳細な説明】
【０００１】
【発明の属する技術分野】
本発明は、目立たないオストミー装置に関する。特に、本発明は、オストミーポーチを取り外したり小孔の周囲に再位置決めしたりする間に、カップリング部材の接着接合面に実質的に皺が形成されることがなく、また、ポーチ容器を伸縮させずにポーチを取り外すことが可能な、新規な接着固定式オストミー装置に関する。
【０００２】
【従来の技術】
ヨーロッパ特許出願公開第０６１１１２２号明細書に示されたタイプの接着固定可能なオストミーポーチを、人体の小孔（ストウマ）の周囲に設けた取付ウエハ上に支持するとき、ポーチのフェイスプレートと人体側取付ウエハとの間の接着接続は、通常、調節不可能である。フェイスプレートが小孔と十分に一致していない場合、ポーチを人体側取付ウエハに接着固定した後に、ポーチの位置を再調節できることが望ましいことが多い。
【０００３】
しかし、接着固定式ポーチを人体側取付ウエハから取り外すと、特に、接着剤が強い接着力を有している場合には、フェイスプレート及び／又は人体側取付ウエハに皺が形成される可能性がある。人体側取付ウエハ又はポーチのフェイスプレートの皺や撚れは、ポーチとウエハとの間のシールの一体性に不都合を生じる。どのような皺や撚れであっても、ポーチのフェイスプレートを人体側取付ウエハに再度取り付けるときに、蒸気や物質が漏出する通路を形成することになり、これは好ましくない。
【０００４】
その上、人体側取付ウエハからポーチを取り外す際、ポーチ容器によって、ポーチを調節する必要がある場合が多い。接着固定式ポーチを調節するために取り外す際、ポーチの容器に圧力すなわちひずみが加わると、どのような圧力であっても、容器の材料を弱めるかあるいは破損する可能性があり、漏出経路をさらに形成しかねない。
【０００５】
接着固定式ポーチ容器の調節が困難であることが知られていて、かつ、ポーチに損傷を与えるかあるいは欠陥を生じる危険性があることが分かっているのであれば、使用者が不快に感じていても、ポーチの調節を断念する可能性が大いにある。そのようなポーチは、普通は受け入れられるものではない。
【０００６】
したがって、ポーチ容器、ポーチのフェイスプレート、又は取付ウエハに損傷を与えることなく、かつ、再位置決め中に、漏出が生じないようにしたポーチの固定に問題を生じることなく、ポーチを容易に取り外したり位置決めしたりすることができる、接着固定式ポーチを備えたオストミー装置を提供することが望まれている。また、ポーチを取り付けたり取り外したりする際に、比較的容易に操作することができる、目立ちにくい接着固定式オストミー装置を提供するのが望ましい。
【０００７】
【発明が解決しようとする課題】
したがって、本発明は、以下のごとき新規なオストミー装置を提供することを目的としている。本発明は、接着固定式オストミーポーチを備えた目立たないオストミー装置を提供する。また、本発明は、ポーチと人体側取付ウエハとの間の漏出防止シールに問題を生じることなく再位置決めすることができる、接着固定式オストミーポーチを備えた、目立たないオストミー装置を提供する。また、本発明は、ポーチのフェイスプレートを人体側取付ウエハに対して操作し、フェイスプレートと人体側取付ウエハとを実質的に同心に整列させることが可能な、目立たない接着固定式オストミー装置を提供する。
【０００８】
【課題を解決するための手段】
上記課題を解決するために、本発明によれば、以下の構成の接着固定式オストミーポーチを備えた目立たないオストミー装置が提供される。
【０００９】
本発明に係るオストミー装置は、接着固定可能なフェイスプレートを有したポーチを備え、人体側取付ウエハに取り付けている。ポーチは、端部を密封しているか又は排出可能に形成し、必要に応じて、人体側取付ウエハから取り外して再位置決めすることができる。
【００１０】
ポーチを人体側取付ウエハに接着して固定した後に、ポーチを再位置決めしたり取り外したりするのを容易にするために、ポーチのフェイスプレートにタブ部を設けている。ポーチを人体側取付ウエハに固定した後に、タブ部に手でアクセスすることができる。タブ部を把持することによって、フェイスプレートを人体側取付ウエハから容易に剥離することができるとともに、フェイスプレートを人体側取付ウエハに対して、操作、位置決め、及び再位置決めするのが容易になる。また、剥離力は、ポーチのフェイスプレートを介して伝わるので、ポーチの取り外し及び再位置決め中に、ポーチ容器が伸縮することは、（たとえあったとしても、）ほとんどない。
【００１１】
オストミー装置の接着カップリング手段は、再封可能なテープと剥離可能なフィルムとを有していて、いずれか一方をポーチに備えるとともに、他方を人体側取付ウエハに備えている。
【００１２】
本発明の好ましい実施形態においては、再封可能なテープをポーチに備えるとともに、剥離可能なフィルムを人体側取付ウエハに備えている。ポーチの再封可能なテープは、フォームテープの形態を有している。また、人体側取付ウエハの剥離可能なフィルムは、フォームテープによって支持している。人体側取付ウエハとフェイスプレートとにフォームテープを備えることによって、フェイスプレートを人体側取付ウエハに対して取り外したり再固定したりする間に、フェイスプレート又は人体側取付ウエハのいずれかに、皺や撚れが生じないようにしている。
【００１３】
フォームテープを備えることによって、フェイスプレート及び人体側取付ウエハに、皺が形成されないようにしているため、人体側取付ウエハに対してポーチを数回位置合わせした場合でさえ、フェイスプレートと取付ウエハとの接合面が、漏出を生じないように互いに接着固定される。
【００１４】
人体側取付ウエハは、腹部と接する接着剤を有していて、取付ウエハを腹面に固定するようにしている。腹面用接着剤の周縁部は、腹面用接着剤の縁部を被覆した環状テープによって覆っている。環状の被覆テープは、充分な寸法を有した剥離可能なフィルムの接触領域を露出することができるような大きさの内径を有していて、これにより、ポーチのフェイスプレートの再封可能なテープを受け入れる。
【００１５】
人体側取付ウエハを腹面に位置決めする際、環状の被覆テープの両側に操作部を設けることによって、取付ウエハを容易に腹面に配置することができる。
【００１６】
このように、本発明のオストミー装置は、目立たない接着固定構成を有するとともに、かさばらず、柔軟性を有し、かつ薄型であって、ポーチのカップリング面に、皺や撚れが確実に形成されないようにしている。したがって、人体側取付ウエハに対するオストミーポーチの固定、取り外し及び再固定は、実質的に皺を形成することなく行われるので、接合可能な接着固定式ポーチのカップリング面の皺から生じ得る漏出の可能性はない。
【００１７】
本発明を実施する際、オストミーポーチと人体側取付ウエハとの接着カップリングを、皺を形成しないで固定、取り外し、及び再固定することができる方法を採用し得る。
【００１８】
【発明の実施の形態】
以下に、本発明の実施形態を図１〜１０に従って詳細に説明する。本発明の１実施形態に係るオストミー装置の全体を、図１に参照符号１０で示している。
【００１９】
オストミー装置１０は、ポーチ１２と、人体側取付ウエハ１４とを備えている。これらは、図１に分離した状態で示している。人体側取付ウエハ１４は、腹面１００の小孔１２０の周囲に接着固定している。
【００２０】
膨張可能なオストミーポーチ１２は、オストミーポーチ構造の分野における公知技術に従って、柔軟な熱可塑性材料からなる公知の容器１６で形成している。ポーチ材料は、気体及び液体に対して不浸透性を有している。
【００２１】
ポーチ容器１６は、腹面１００から離れる方向を向く前壁部２０（図２参照）と、腹面１００に対向する後壁部２２（図１参照）とを有している。
【００２２】
図６を参照すると、後壁部２２は、前壁部２０と同一材料で形成した内層２４と、多孔性ポリエチレンでフロック加工した外層２６とを有していて、層２６と腹面１００との間が快適に面接触するようにしている。図６に示すように、両層２４，２６は、それぞれ、整列した排泄物用入口開口３０，３２を備えている。ポーチ１２の前壁部２０及び後壁部２２は、周縁部に設けた熱溶着部３４によって、互いにシールされている（図１参照）。排泄物用入口開口３０，３２の整列した周縁部は、熱溶着等の適切な公知の方法であれば、どのような方法によって互いに密着させてもよい。
【００２３】
ポーチ容器１６は、さらに、曲線状コーナ部を備えた上部３６と、実質的に平行な両側部３８，４０と、両側部３８，４０に合流する曲線状の底部４２とを有している。これにより、ポーチ容器１６は、排泄物回収用チャンバ４６を構成している（図８参照）。チャンバ４６は、後壁部２２の入口開口３０，３２からアクセスすることができる。
【００２４】
単純化するために、以下、参照符号３２を使用して、ポーチ容器１６の排泄物用入口開口を示している。
【００２５】
排泄物用入口開口３２は、約１〜３／４インチの直径を有していて、ポーチ容器の底部４２より上部３６に近接した位置に設けている。
【００２６】
ポーチ１２は、さらに、略環状の接着フェイスプレート５０を備えている。フェイスプレート５０は、排泄物用入口開口３２を縁取っているとともに、環状の熱溶着部によって、後壁部２２に取り付けている。フェイスプレート５０は、フェイスプレート５０の円形周縁部５６から、垂直線より約５０°〜６０°の角度を形成して延在したタブ部５４を有している。
【００２７】
フェイスプレート５０は、再封可能なフォームテープ６０で形成するのが好ましい。例えば、アメリカ合衆国ミネソタ州ミネアポリスに住所を有するスリーエム・カンパニーが製造している製品番号第９７７６番のフォーム・メディカル・テープ・オン・ライナー（Foam Medical Tape On Liner）のようなタイプのものが挙げられる。再封可能なフォームテープ６０は、低アレルゲン性アクリル酸感圧接着剤６２と、シリコン剥離紙６４とを備えた厚さ約０．０８mmの独立気泡ポリエチレンフォームの支持体を有している。フェイスプレート５０は、約１〜３／４インチの内径を有しているが、これは、排泄物用入口開口３２の内径と実質的に同一である。また、フェイスプレート５０は、約３〜３／８インチの外径を有している。
【００２８】
フェイスプレート５０のタブ部５４は、タブ部５４のアクリル酸接着剤６２にラミネート加工したフィルム層６６（図８参照）を有している。好ましくは、フィルム層６６は、厚さ０．０１０〜０．０８０インチの柔軟性を有した塑性ポリ塩化ビニルシート材料であって、さらに、その外側面が非接着性を有していることにより、タブ部５４を手で把持することができる。このように、フィルム層６６は、タブ部５４を補強すると同時に、接着剤を巻き込むことなくタブ部５４を操作できるようにしている。
【００２９】
図８〜図１０に最も分かりやすく示しているように、ポーチ１２の後壁部２２に対向するタブ部表面は、非接着性を有していて、後壁部２２に接合していないが、これにより、さらに確実に、タブ部５４を手で把持したり操作したりしやすくなっている。
【００３０】
フェイスプレート５０のフォームテープ６０によって、フェイスプレート５０は、実質的に皺を形成せずに曲げることができる。したがって、ポーチ１２を取付ウエハ１４から取り外す場合に、フェイスプレート５０の接着取付部を取付ウエハ１４から剥離する際、フェイスプレート５０の接着接合面６２には、皺や撚れが残ることがない。タブ部５４のフィルム層６６は、タブ部を補強するとともに、フェイスプレート５０を人体側取付ウエハ１４から剥離する間に、タブ部５４が伸縮しないようにしている。フェイスプレート５０を取付ウエハ１４から取り外す際に、タブ部５４を操作、すなわち引くと、剥離力は、ポーチの壁部２０，２２ではなくフェイスプレート５０を通じて伝わる。
【００３１】
タブ部５４にフィルム層６６を使用する代わりに、タブ部５４に十分な伸長性を備えることによって、シリコン剥離紙６４を分離した後に、タブ部自体を覆って折り重ねることができるように、タブ部５４を形成することも可能である。タブ部５４を折り重ねることによって、タブ部を補強すると同時に、タブ部表面のアクリル酸接着剤６２を覆うことができる。
【００３２】
他の実施形態においては、フェイスプレート５０は、ポーチ壁部２２に対して、熱溶着するのではなく接着することが可能である。すなわち、フェイスプレート５０のポーチ側側面に、感圧接着剤を塗布することによって、フェイスプレート５０と後壁部２２との間の接着固定が可能になる。次に、２つのフィルム層６６をタブ部５４の両側に設け、タブ部５４の両側の接着剤層を覆うようにし、これにより、タブ部を確実に手で把持できるようにする。
【００３３】
人体側取付ウエハ１４は、約３／４インチの中央開口８０を備えた略円形構成を有し、その外径は約４インチである。したがって、人体側取付ウエハ１４は、図９に最も分かりやすく示しているように、環状フェイスプレート５０の周縁部から突出するように寸法構成されている。
【００３４】
図３を参照すると、人体側取付ウエハ１４は、環状の腹側接着剤層７０を備えている。腹側接着剤層７０の両側は、取り外し可能なシリコン剥離紙の層７２，７４を有していて、この層は、層７０を腹面１００に取り付けたときに取り外す。層７２，７４は、層７０の内径及び外径と実質的に同一の内径及び外径を有している。腹側接着剤層７０は、厚さ約０．０３０〜０．０８０インチの親水コロイド接着剤で形成するのが好ましい。例えば、アメリカ合衆国ニューヨーク州ニューヨークに住所を有するブリストル−マイヤーズ・スクイブ・カンパニーがストーマヘーシブ（Stomahesive）又はデュラヘーシブ（Durahesive）という商標名で販売しているようなタイプのものが挙げられる。
【００３５】
合成材料７６は、また、腹側接着剤層７０の内径及び外径と実質的に同一の内径及び外径とを有している。合成材料７６は、アメリカ合衆国ミネソタ州ミネアポリスに住所を有するスリーエム・カンパニーが、スリーエム・クローズド・セル・フォーム第１７７３番（3M Closed Cell Foam 1773）という製品名で製造しているタイプの再封可能なフォームテープの形態を有している。テープ７６は、厚さ約０．８mmの独立気泡ポリエチレンフォームの支持体７８を有している。支持体７８には、層７２，７４に類似するシリコン剥離紙の層で覆った、低アレルゲン性アクリル酸感圧接着剤の層７９が備わっている。層７４等のシリコン剥離紙の層は、取付ウエハ１４を組み立てる前に取り外す。
【００３６】
ポリエチレン剥離フィルム層８４は、好ましくは、アメリカ合衆国ミネソタ州ミネアポリスに住所を有するスリーエム・カンパニーが、スリーエム・エムエスエックス−１１９８番クリアー・ピーイー・リリース・フィルム（3M MSX-1198 Clear PE Release Film）という製品名で製造しているタイプのもので形成する。このポリエチレン剥離フィルム層８４は、環状フェイスプレート５０の再封可能な接着剤６２のための取り外し可能な面接触領域を構成している。
【００３７】
人体側取付ウエハ１４は、さらに、ファッソン材料（Fasson material）で形成したカラー９０を備えている。カラー９０は、接着剤コーティング９２と、柔軟な多孔性非接着剤の支持体９４とを有している。接着剤コーティング９２のためのシリコン剥離カラー９６（図３参照）は、予め形成された切断線１０２，１０４（図４参照）を有していて、これにより、両側の操作部１０６，１０８と中央部１１０とを構成している。単純化するために、参照符号１０６，１０８，１１０は、また、対応する下層のカラー９０の接着部及び中央部を示すのに使用する。
【００３８】
図１０に最も分かりやすく示しているように、カラー９０は、取付ウエハ部材７０，７６，８４の外径より小さい内径を有するように寸法構成している。例えば、ファッソン型カラー９０の外径は約５〜１／４インチであるとともに、内径は約３〜１／２インチであって、ファッソン型カラー９０は、取付ウエハ部材７０，７６，８４の周縁部を覆うが、ポーチ１２の環状フェイスプレート５０との接着接合のための剥離フィルム接触領域８６の所定部分を露出させるようにしている。
【００３９】
図５に最も分かりやすく示しているように、腹面１００に固定するのに組み立てた取付ウエハ１４は、取り外し可能なシリコン剥離層７２で覆うとともにフォームテープ７６によって支持した接着剤層７０を備えている。これは、さらに、剥離フィルム層８４で支持している。組み立てた人体側取付ウエハ１４は、また、図５に最も分かりやすく示しているように、剥離フィルム層８４の周縁部に固定したファッソン型カラー９０を有している。ファッソン型カラー８２の接着面９２は、取付ウエハ部材７０，７６，８４から径方向に突出し、かつ、シリコン剥離紙９６で覆っている。
【００４０】
オストミー装置１０を使用する際には、まず、人体側取付ウエハ１４を腹面１００に取り付ける。人体側取付ウエハ１４を腹面１００に固定する前に、シリコン剥離紙７２を腹側接着剤層７０から剥がすとともに、剥離紙９６の中央部１１０をファッソン型カラー９０から剥がす。剥離紙９６は、ファッソン型カラー９０の両操作縁部１０６，１０８には残存している。次に、取付ウエハ１４を操作部１０６，１０８によって操作し、そうすることによって、人体側取付ウエハの開口８０を、小孔１２０と一致させるように配置することができる。
【００４１】
人体側取付ウエハ１４は、腹側接着剤層７０とファッソン型カラー９０の中央部１１０とによって、腹面１００に取り付ける。シリコン剥離紙９６は、依然として、ファッソン型カラー９０の操作部１０６，１０８を覆っている。腹側接着剤層７０とファッソン型カラー９０の中央部１１０とによって、取付ウエハ１４を小孔１２０の周囲にいったん固定した状態にすると、残りの剥離紙９６を操作部１０６，１０８から剥離してよい。そうすると、取付ウエハ部材７０，７６，８４の周縁部から突出しているファッソン型カラー９０の環状接着剤層９２全体が、腹面に付着し、これにより、そうでない場合には露出している腹側接着剤層７０の縁部を覆う。
【００４２】
次に、人体側取付ウエハ１４を、満足のいくように腹面１００に固定した状態で、ポーチ１２を人体側取付ウエハ１４に取り付けることができる。次いで、ポーチ１２の環状フェイスプレート５０を覆っているシリコン剥離紙６４を剥がし、フェイスプレートの接着面６２を露出させるようにする。フェイスプレート５０は、タブ部５４のところで把持することができ、これにより、人体側取付ウエハ１４の剥離フィルム接触領域８６に対して、フェイスプレート５０を容易に操作することができる。タブ部５４は、ポーチ１２の排泄物用入口開口３２の位置を知る助けとなり、また、その結果、排泄物用入口開口３２を、取付ウエハ１４と小孔１２０と容易に一致させることができる。
【００４３】
ポーチ１２は、フェイスプレート５０を介して取付ウエハ１４に固定した後に、取付ウエハ１４に対してポーチ１２を調節したり再位置決めしたりするのが望ましい場合がある。図１０に示すように、フェイスプレート５０のタブ部５４は手で把持することができ、これにより、人体側取付ウエハ１４の剥離フィルム８４から、環状フェイスプレート５０を剥離することが可能である。フィルム８４は、剥離可能な特性を有しているため、フェイスプレート５０を取付ウエハ１４から容易に取り外すことができる。次に、環状フェイスプレート５０は、上記した方法と同様の方法で、人体側取付ウエハ１４の剥離フィルム８４に再度固定することができる。接着面６２は再封可能な特性を有しているため、フェイスプレート５０を取付ウエハ１４に容易に固定し直すことができる。
【００４４】
環状フェイスプレート５０のフォームテープ６０と、人体側取付ウエハ１４のフォームテープ７６とによって、剥離フィルム８４を含むそれぞれの係合面に、撚れや皺を形成することなく、環状フェイスプレート５０を、人体側取付ウエハ１４から確実に剥離することが容易になる。したがって、フェイスプレート５０は、皺や撚れを残さずに面と面とを平滑に接合した状態で、取付ウエハ１４に再固定することができる。このような構成においては、ポーチ１２を再位置決めしたときでさえ、取付ウエハ１４と環状フェイスプレート５０との間の接着カップリングによって、実質的に漏出を生じないように接着接合することが可能である。
【００４５】
上記説明より明らかな本発明の利点のいくつかを挙げると、本発明のオストミーポーチは、目立たず、再位置決めすることができ、また、容易に操作することができる。さらに他の利点として、フェイスプレートにタブ部を設けることによって、フェイスプレートの人体側取付ウエハへの取り付けを容易に操作できるだけでなく、フェイスプレートと人体側取付ウエハとが一致しているのを大まかに示すインディケータとして機能する。人体側取付ウエハと環状フェイスプレートとの構成材料として、フォーム層を使用することによって、ポーチと取付ウエハとの間のカップリング構成の目立たないという特性を保持する一方で、フェイスプレートと人体側取付ウエハとに、皺防止特性が備わることになる。本発明のオストミー装置は、ポーチを取付ウエハに対して調節し直すのが望ましい場合に、フェイスプレートを取付ウエハに再度取り付けたときでさえ、漏出が生じないようにポーチを確実に固定することができる。
【００４６】
以上の記載より、本発明の様々な目的が達成されるとともに、他の好都合な成果が得られることが分かるだろう。
【００４７】
本発明の範囲内で上記構成や方法に種々の変更を加えることが可能である。上記説明及び添付の図面は、単なる実施形態であって、本発明を限定するものではない。
【図面の簡単な説明】
【図１】  オストミーポーチを人体側取付ウエハへ接着して取り付ける前の、本発明の１実施形態に係るオストミー装置の概略斜視図である。
【図２】  オストミーポーチを人体側取付ウエハへ接着して固定した後の、本発明の１実施形態に係るオストミー装置の概略斜視図である。
【図３】  人体側取付ウエハの分解斜視図である。
【図４】  組み立てた状態の人体側取付ウエハの平面図である。
【図５】  図４の５−５線切断断面図である。
【図６】  オストミーポーチの概略分解斜視図である。
【図７】  組み立てた状態の図６のオストミーポーチの構成部材の平面図である。
【図８】  図７の８−８線切断断面図である。
【図９】  小孔に一致させて腹壁に取り付けたオストミー装置の断面図である。
【図１０】  図９に類似した断面図である。ポーチをウエハに対して再位置決めする前に、オストミーポーチの一部が、人体側取付ウエハから離れている状態を示している。
【符号の説明】
１０  オストミー装置
１２  ポーチ
１４  取付ウエハ
１６  容器
２０  前壁部
２２  後壁部
２４  内層
２６  外層
３０，３２  入口開口
３４  熱溶着部
３６  上部
３８，４０  側部
４２  底部
４６  排泄物回収用チャンバ
５０  フェイスプレート
５２  熱溶着部
５４  タブ部
５６  周縁部
６０  フォームテープ
６２  感圧接着剤
６４  シリコン剥離紙
６６  フィルム層
７０  接着剤層
７２，７４  層、シリコン剥離紙
７６  合成材料、テープ
７８  支持体
７９  アクリル酸接着剤層
８０  中央開口
８４  ポリエチレン剥離フィルム層
８６  反対側面、フィルム接触領域
９０  ファッソン型カラー
９２  接着剤コーティング
９４  非接着性支持体
９６  シリコン剥離剤カラー
１００  腹面
１０２，１０４  切断線
１０６，１０８  操作部、縁部
１１０  中央部
１２０  小孔
【図１】
0004321882.tif 000002
【図２】
0004321882.tif 000003
【図３】
0004321882.tif 000004
【図４】
0004321882.tif 000005
【図５】
0004321882.tif 000006
【図６】
0004321882.tif 000007
【図７】
0004321882.tif 000008
【図８】
0004321882.tif 000009
【図９】
0004321882.tif 000010
【図１０】
0004321882.tif 000011